(57)【要約】【課題】  自動汚水収集、沈殿と汚水排出機能を具えた鑑賞魚用水槽の提供。【解決手段】  水槽の上部、底部の両側に対応する入水管と斜面が設けられ、両側の斜面が中央に向けて集中する部分に汚水収集管が設けられ、両側の入水管の均一な水流を利用し、両側の斜面上の排泄物、不純物が削ぎ取られて汚水収集管に至り、沈殿槽に排出される。その特徴の一つ目は、該沈殿槽が汚水収集効果を有すること、二つ目は、電磁弁が定時に開き（揚水モータが一時停止）自動的に沈殿槽中の水と汚物を排出すること、三つ目は、沈殿槽の第１次沈殿浄化後、再度スポンジで第２次物理浄化を行い、最後にバイオボール槽で第３次バイオ浄化を行うこと、四つ目は、電磁弁が閉じ、揚水モータが再起動すると、水位が下降し、この時、補水弁により自動補水されることとされる。【選択図】        図３
0003114905.tif 000002
【実用新案登録請求の範囲】
【請求項１】
自動清浄機能を具えた鑑賞魚用水槽において、水槽の底部に汚水収集管と汚水収集管に向けて傾斜する斜面が設けられ、該汚水収集管より上向きに水槽の水位よりやや低い空圧管が延伸され、更に下向きに空圧管よりやや低いオーバーフロー管が延伸され、該オーバーフロー管が排泄物と不純物を付帯する汚水を水槽下方の濾過装置に導入し、該濾過装置が少なくとも沈殿浄化槽と補水槽を包含し、該沈殿浄化槽の底部に汚水排出装置が設けられ、汚水排出管により定時に汚水が排出され、該補水槽に補水装置と揚水モータが設けられ、該揚水モータにより浄化後の水が水槽上部の出水管に揚水されることを特徴とする、自動清浄機能を具えた鑑賞魚用水槽。
【請求項２】
請求項１記載の自動清浄機能を具えた鑑賞魚用水槽において、汚水収集管に下向きに延伸された排水管が設けられたことを特徴とする、自動清浄機能を具えた鑑賞魚用水槽。
【請求項３】
請求項２記載の自動清浄機能を具えた鑑賞魚用水槽において、排水管に排水電磁弁が設けられ、排水電磁弁の開閉を制御する電気回路が組み合わされたことを特徴とする、自動清浄機能を具えた鑑賞魚用水槽。
【請求項４】
請求項１記載の自動清浄機能を具えた鑑賞魚用水槽において、沈殿浄化槽に隔板が設けられ、該隔板の底部に過水空間と過水空間に向けて傾斜する斜面が設けられたことを特徴とする、自動清浄機能を具えた鑑賞魚用水槽。
【請求項５】
請求項１記載の自動清浄機能を具えた鑑賞魚用水槽において、濾過装置が沈殿浄化槽と補水槽の間に物理浄化槽を具えたことを特徴とする、自動清浄機能を具えた鑑賞魚用水槽。
【請求項６】
請求項５記載の自動清浄機能を具えた鑑賞魚用水槽において、沈殿浄化槽の上部と物理浄化槽の間に開口が開設され、水が開口より物理浄化槽中に排出され、該物理浄化槽の底部と補水槽の間に過水空間が設けられ、濾過後に、過水空間より補水槽に流入することを特徴とする、自動清浄機能を具えた鑑賞魚用水槽。
【請求項７】
請求項１記載の自動清浄機能を具えた鑑賞魚用水槽において、水槽上部にバイオ滴流装置が設けられ、揚水モータが補水槽の水をバイオ滴流装置に送ることを特徴とする、自動清浄機能を具えた鑑賞魚用水槽。
【請求項８】
請求項１記載の自動清浄機能を具えた鑑賞魚用水槽において、汚水排出装置の汚水排出管に汚水排出電磁弁が設けられ、該汚水排出電磁弁の開閉と、揚水モータの停止、起動が制御される電気回路が組み合わされたことを特徴とする、自動清浄機能を具えた鑑賞魚用水槽。
【請求項９】
請求項１記載の自動清浄機能を具えた鑑賞魚用水槽において、補水装置に水位検出器と補水管が設けられたことを特徴とする、自動清浄機能を具えた鑑賞魚用水槽。
【請求項１０】
請求項１記載の自動清浄機能を具えた鑑賞魚用水槽において、補水槽に薬剤添加装置が設けられ、該薬剤添加装置がモータと注入管により薬剤タンクの薬剤を補水槽中に注入することを特徴とする、自動清浄機能を具えた鑑賞魚用水槽。
【請求項１１】
請求項１記載の自動清浄機能を具えた鑑賞魚用水槽において、二つ以上の水槽を包含し、上層の水槽が汚水収集管とオーバーフロー管により水を下層の水槽に導入することを特徴とする、自動清浄機能を具えた鑑賞魚用水槽。
【考案の詳細な説明】
【技術分野】
【０００１】
本考案は自動清浄機能を具えた鑑賞魚用水槽に係り、特に、自動汚水収集、沈殿と汚水排出、水換え可能で、一日内に１〜２４回以上、汚水排出するよう設定可能で、汚物（魚の糞便、飼料、残った餌）が腐敗して水質を汚染する前に、排出し、細小な汚物をスポンジで物理濾過し、最後にバイオボール槽でバイオ分解してから水槽に戻し、自動循環の濾過状態を形成し、水質の浄化と濾過の効果が理想的であり、且つ水中の酸素含有量を増すことができる鑑賞魚用水槽に関する。
【背景技術】
【０００２】
伝統的な鑑賞魚用水槽は、その底部が平坦面とされ、且つ濾過後の水は１本の入水管で水槽に戻され、魚の糞便と飼料、残った餌が水槽底部の平坦面に散布され、手作業での掃除が非常に面倒であり、且つ定期的に魚の糞便と飼料、残った餌を掃除しなければ、水質が悪化し、鑑賞魚の健康に影響を与え、その生存に不利となる。周知の鑑賞魚用水槽の構造は、実際の応用時に少なくとも以下のような克服、解決すべき問題と欠点を有している。
１．片側からの水流に依存しているため順調に底面案内斜面上に堆積した排泄物及びゴミを削ぎ取って中央部分の漏水管中に流すことができず、浄化効果が理想的でない。
２．沈殿槽汚濁収集装置がなく、物理的な濾過を使用しているだけであり、浄化効果が理想的でない。
３．自動汚水排出装置がなく、手作業で汚物を掃除しなければならず、時間と手間がかかる。
４．自動補水装置がなく、定期的に手作業方式で水換えを行わねばならず、相当に面倒である。
５．大型バイオボール槽がなく、少量のバイオ機能しか具備しないために、有効に水中の蛋白質を分解することができない。
【考案の開示】
【考案が解決しようとする課題】
【０００３】
本考案は、自動汚水収集、沈殿と汚水排出機能を具えた鑑賞魚用水槽を提供することを目的とする。
【課題を解決するための手段】
【０００４】
請求項１の考案は、自動清浄機能を具えた鑑賞魚用水槽において、水槽の底部に汚水収集管と汚水収集管に向けて傾斜する斜面が設けられ、該汚水収集管より上向きに水槽の水位よりやや低い空圧管が延伸され、更に下向きに空圧管よりやや低いオーバーフロー管が延伸され、該オーバーフロー管が排泄物と不純物を付帯する汚水を水槽下方の濾過装置に導入し、該濾過装置が少なくとも沈殿浄化槽と補水槽を包含し、該沈殿浄化槽の底部に汚水排出装置が設けられ、汚水排出管により定時に汚水が排出され、該補水槽に補水装置と揚水モータが設けられ、該揚水モータにより浄化後の水が水槽上部の出水管に揚水されることを特徴とする、自動清浄機能を具えた鑑賞魚用水槽としている。
請求項２の考案は、請求項１記載の自動清浄機能を具えた鑑賞魚用水槽において、汚水収集管に下向きに延伸された排水管が設けられたことを特徴とする、自動清浄機能を具えた鑑賞魚用水槽としている。
請求項３の考案は、請求項２記載の自動清浄機能を具えた鑑賞魚用水槽において、排水管に排水電磁弁が設けられ、排水電磁弁の開閉を制御する電気回路が組み合わされたことを特徴とする、自動清浄機能を具えた鑑賞魚用水槽としている。
請求項４の考案は、請求項１記載の自動清浄機能を具えた鑑賞魚用水槽において、沈殿浄化槽に隔板が設けられ、該隔板の底部に過水空間と過水空間に向けて傾斜する斜面が設けられたことを特徴とする、自動清浄機能を具えた鑑賞魚用水槽としている。
請求項５の考案は、請求項１記載の自動清浄機能を具えた鑑賞魚用水槽において、濾過装置が沈殿浄化槽と補水槽の間に物理浄化槽を具えたことを特徴とする、自動清浄機能を具えた鑑賞魚用水槽としている。
請求項６の考案は、請求項５記載の自動清浄機能を具えた鑑賞魚用水槽において、沈殿浄化槽の上部と物理浄化槽の間に開口が開設され、水が開口より物理浄化槽中に排出され、該物理浄化槽の底部と補水槽の間に過水空間が設けられ、濾過後に、過水空間より補水槽に流入することを特徴とする、自動清浄機能を具えた鑑賞魚用水槽としている。
請求項７の考案は、請求項１記載の自動清浄機能を具えた鑑賞魚用水槽において、水槽上部にバイオ滴流装置が設けられ、揚水モータが補水槽の水をバイオ滴流装置に送ることを特徴とする、自動清浄機能を具えた鑑賞魚用水槽としている。
請求項８の考案は、請求項１記載の自動清浄機能を具えた鑑賞魚用水槽において、汚水排出装置の汚水排出管に汚水排出電磁弁が設けられ、該汚水排出電磁弁の開閉と、揚水モータの停止、起動が制御される電気回路が組み合わされたことを特徴とする、自動清浄機能を具えた鑑賞魚用水槽としている。
請求項９の考案は、請求項１記載の自動清浄機能を具えた鑑賞魚用水槽において、補水装置に水位検出器と補水管が設けられたことを特徴とする、自動清浄機能を具えた鑑賞魚用水槽としている。
請求項１０の考案は、請求項１記載の自動清浄機能を具えた鑑賞魚用水槽において、補水槽に薬剤添加装置が設けられ、該薬剤添加装置がモータと注入管により薬剤タンクの薬剤を補水槽中に注入することを特徴とする、自動清浄機能を具えた鑑賞魚用水槽としている。
請求項１１の考案は、請求項１記載の自動清浄機能を具えた鑑賞魚用水槽において、二つ以上の水槽を包含し、上層の水槽が汚水収集管とオーバーフロー管により水を下層の水槽に導入することを特徴とする、自動清浄機能を具えた鑑賞魚用水槽としている。
【考案の効果】
【０００５】
周知の技術と比較した本考案の技術手段の特徴及び効果は以下のとおりである。
１．両側の入水管の発生する均一な圧力に、底部の斜面の案内作用が組み合わされ、汚物を削ぎ取り中央の汚水収集管に集めることができる。
２．収集された汚物をオーバフローの原理により、沈殿槽へとオーバーフローさせることができる。
３．定時の水換え時に、揚水モータが停止し、並びに沈殿槽下方の汚水排出電磁弁が開き沈殿槽中の汚物が排除される。
４．沈殿槽中の水及び汚物が排除されきれいになった後、揚水モータが再起動し、並びに汚水排出電磁弁が閉じる。
５．揚水モータによる揚水時に、水位が下降し、補水弁が自動補水する。
６．本考案は上述の機能のほか、第１次沈殿汚水排出の後、スポンジを利用した第２次物理濾過を行い、最後に大型バイオボール槽を利用し、バイオ濾過を行う。
７．バイオボール槽は上方に架設され、滴流バイオ分解を行い、停電時にバイオボールが水中に沈んで消化菌が死んで生態バランスが失われるのを防止する。
８．本考案は一日に１〜２４回以上の汚水排出を行うように設定可能である。
【考案を実施するための最良の形態】
【０００６】
本考案の自動清浄機能を具えた鑑賞魚用水槽は、図１の本考案の実施例１の立体組合せ図、及び図２の本考案の実施例２の立体組合せ図、及び図３の本考案の実施例１の立体分解図、及び図４の本考案の実施例１の正面図、図５の本考案の実施例１の右側面断面組合せ図を参照されたい。本考案は、水槽１０、濾過装置２０、バイオ滴流装置３０、汚水排出装置４０、補水装置５０、薬剤添加装置６０を包含し、実施例１と実施例２の差異は、僅かにバイオ滴流装置３０のサイズの違いに過ぎない。
【０００７】
そのうち、該水槽１０の底部に中央に向けて傾斜する若干の斜面１１が設けられ、該水槽１０の底部中央位置に下向きに延伸された汚水収集管１２が設けられ、水槽１０底部斜面１１上の排泄物及び不純物を、若干の斜面１１に沿って中央の凹んだところに集め、さらに、汚水収集管１２で水槽１０より排出する。該汚水収集管１２に下向きに延伸された排水管１３が設けられ、排水管１３により汚水が排出され、該汚水収集管１２に上向きに、水槽１０の水位よりやや低い空圧管１４が設けられ、さらに汚水収集管１２の側方に空圧管１４よりやや低いオーバーフロー管１５が設けられ、オーバーフロー管１５より汚水が下方の濾過装置２０に導入される。空圧管１４の作用は、停電時に、水槽１０の水が汚水収集管１２とオーバーフロー管１５より完全に漏出するのを防止することにある。
【０００８】
該濾過装置２０は沈殿浄化槽２１、物理浄化槽２２、補水槽２３、揚水モータ２４で構成され、上述のオーバーフロー管１５は沈殿浄化槽２１に接続され、該沈殿浄化槽２１に隔板２１１が設けられ、該隔板２１１の底部に過水空間２１２に向けて傾斜する斜面２１３が設けられ、沈殿浄化槽２１の水が斜面２１３に沿って過水空間２１２より汚水排出装置４０に流れ、該沈殿浄化槽２１の上部及び物理浄化槽２２の間に開口２１４が設けられ、水が開口２１４より物理浄化槽２２中に排出され、該物理浄化槽２２の底部と補水槽２３の間に別の過水空間２２１が設けられ、底部に順に活性炭２２２、スポンジ２２３等のろ材が敷設され、一層ずつ濾過された後に、更に過水空間２２１より補水槽２３中に流れ、補水槽２３に補水装置５０とオーバーフロー孔２３１が設けられ、該揚水モータ２４の一端は入水管２４１で補水槽２３に接続され、もう一端は出水管２４２でバイオ滴流装置３０に接続され、これにより濾過後の水が上方のバイオ滴流装置３０に送られる。
【０００９】
該バイオ滴流装置３０は槽体３１の上方に滴流板３２が設けられ、滴流板３２に複数の滴流孔３２１が設けられ、水を細小な水滴に分割し、該槽体３１の内部に更に複数のバイオボール３３が設けられ、消化菌を培養し、該槽体３１の底部の両側位置に下向きに延伸された二つの出水管３４が設けられ、水を水槽１０中に戻す。
【００１０】
該汚水排出装置４０は濾過装置２０の沈殿浄化槽２１の底部より下向きに延伸された汚水排出管４１を具え、該汚水排出管４１に汚水排出電磁弁４２或いはボール弁（図示せず）が設けられ、自動或いは手動で該汚水排出管４１の開閉が制御される。汚水排出電磁弁４２が開放される時、電気回路が揚水モータ２４を制御して運転停止させ、汚水を汚水排出管４１より排出し、反対に汚水排出電磁弁４２が閉じる時、電気回路が揚水モータ２４を制御して運転開始させる。
【００１１】
該補水装置５０は濾過装置２０の補水槽２３中に設けられた水位検出器５１を具え、図中の水位検出器５１は一般に使用されている浮子スイッチとされ、また補水槽２３に水源に接続された補水管５２が組み合わされ、補水槽２３中の水位が一定水位より低くなると、該水位検出器５１が補水管５２を開き補水の動作を行い、水位が設定水位に至ると補水動作を停止する。
【００１２】
該薬剤添加装置６０は濾過装置２０の補水槽２３外部に設置された薬剤タンク６１を具え、モータ６２と注入管６３を利用して薬剤を補水槽２３中に注入し、これにより水質調整を行う。
【００１３】
上述の自動汚水収集、沈殿と汚水排出機能を具えた鑑賞魚用水槽は、図６の本考案の実施例３の正面断面組合せ表示図に示されるように、上、下２層の水槽１０を具備するものとされ得て、上層の水槽１０の汚水収集管１２はオーバーフロー管１５にあって二つの出水管１６を具え、これにより水を下層の水槽１０中に導入する。
【００１４】
上述の各部品構造が組み合わされてなる本考案は、一種の自動汚水収集、沈殿と汚水排出機能を具えた鑑賞魚用水槽を提供し、その実際の操作応用上は以下のとおりである。
【００１５】
図７、８は、本考案が濾過を実施する時の正面図及び右側側面図である。濾過時に、水槽１０の水は底部斜面１１上の排泄物及び不純物を削ぎ落として中央の汚水収集管１２に排出し、更に汚水収集管１２とオーバーフロー管１５が水を下方の濾過装置２０に導入し、沈殿浄化槽２１、物理浄化槽２２の複数の濾過プロセスの後、浄化を完成し、補水槽２３中に収集し、さらに揚水モータ２４で水を上方のバイオ滴流装置３０に送り、滴流板３２の複数の滴流孔３２１で水を細小な水滴に分割し、更に槽体３１内部の複数のバイオボール３３へと滴流させ、最後に両側の二つの出水管３４より水槽１０に戻し、自動循環の濾過状態を形成する。
【００１６】
図９は本考案の自動汚水排出、補水及び薬剤添加の制御システムのフローチャートである。図１０、１１は本考案の実施例１の汚水排出時の正面状態表示図及び右側面状態表示図である。水質の安定を維持するため、定期的に汚水を排出し、定時装置を利用し、一日に１〜２４回の汚水排出を行うよう設定でき、汚水排出時間がくると、汚水排出装置４０の汚水排出電磁弁４２を沈殿浄化槽２１の汚水を汚水排出管４１で排出し（この時、揚水モータ２４は運転停止する）、設定時間が終了した後、自動的に汚水排出電磁弁４２を閉じ（この時、揚水モータ２４は運転開始する）、自動循環の濾過状態を形成する。
【００１７】
図１２は、本考案の実施例１の補水時の正面状態表示図である。濾過装置２０の補水槽２３の水位が一定水位に下がる時、水位検出器５１（図示されるのは一般の浮子スイッチとされる）が水源に接続された補水管５２を開放し、補水の動作を行い、水位が設定水位に回復すると、補水動作を停止する。
【００１８】
総合すると、本考案の自動清浄機能を具えた鑑賞魚用水槽は、自動汚水収集、沈殿と汚水排出機能を具えた鑑賞魚用水槽であり、実際に製造完成し反復して操作試験を行ったところ、本考案の予期された作用効果が達成されることが実証された。本考案の構造は市場にはない新規な考案であり、産業上の利用価値を有し、実用性と進歩性を具えている。
【図面の簡単な説明】
【００１９】
【図１】本考案の実施例１の立体組合せ図である。
【図２】本考案の実施例２の立体組合せ図である。
【図３】本考案の実施例１の立体分解図である。
【図４】本考案の実施例１の正面図である。
【図５】本考案の実施例１の右側面断面組合せ図である。
【図６】本考案の実施例３の正面断面組合せ表示図である。
【図７】本考案が濾過を実施する時の正面図である。
【図８】本考案が濾過を実施する時の右側側面図である。
【図９】本考案の自動汚水排出、補水及び薬剤添加の制御システムのフローチャートである。
【図１０】本考案の実施例１の汚水排出時の正面状態表示図である。
【図１１】本考案の実施例１の汚水排出時の右側面状態表示図である。
【図１２】本考案の実施例１の補水時の正面状態表示図である。
【符号の説明】
【００２０】
１０  水槽                １１  斜面
１２  汚水収集管          １３  排水管
１４  空圧管              １５  オーバーフロー管
１６  出水管
２０  濾過装置            ２１  沈殿浄化槽
２１１  隔板              ２１２  過水空間
２１３  斜面              ２１４  開口
２２  物理浄化槽          ２２１  過水空間
２２２  活性炭            ２２３  スポンジ
２３  補水槽              ２３１  オーバーフロー孔
２４  揚水モータ          ２４１  入水管
２４２  出水管
３０  バイオ滴流装置      ３１  槽体
３２  滴流板              ３２１  滴流孔
３３  バイオボール        ３４  出水管
４０  汚水排出装置        ４１  汚水排出管
４２  汚水排出電磁弁
５０  補水装置            ５１  水位検出器
５２  補水管
６０  薬剤添加装置        ６１  薬剤タンク
６２  モータ              ６３  注入管
【図１】
0003114905.tif 000003
【図２】
0003114905.tif 000004
【図３】
0003114905.tif 000005
【図４】
0003114905.tif 000006
【図５】
0003114905.tif 000007
【図６】
0003114905.tif 000008
【図７】
0003114905.tif 000009
【図８】
0003114905.tif 000010
【図９】
0003114905.tif 000011
【図１０】
0003114905.tif 000012
【図１１】
0003114905.tif 000013
【図１２】
0003114905.tif 000014